(57)【特許請求の範囲】
【請求項１】
表示部を備える受信装置と、前記受信装置を操作するリモコンと、からなる表示システムであって、
前記リモコンは複数のカラーボタンを備え、
前記複数のカラーボタンはそれぞれ異なる色を備え、
前記受信装置の表示部は、複数の領域を表示し、
前記複数の領域はそれぞれ前記複数のカラーボタンのうちのいずれか一つのカラーボタンと同じ色を備え、
前記複数のカラーボタンのうちのいずれか一つが操作された場合、該操作されたカラーボタンと同じ色を備える領域が選択され、
選択された前記領域を複数の領域に分けることができるときは前記領域のみが表示されるように前記表示部の表示を更新することを特徴とする表示システム。
【請求項２】
選択された前記領域を複数の領域に分けることができるときは前記複数のカラーボタンのうちのいずれか一つのカラーボタンと同じ色を備える複数の領域に分けて前記表示部の表示を更新することを特徴とする請求項１記載の表示システム。
【請求項３】
前記操作されたカラーボタンの色を除く少なくとも２つ以上の色と同じ色の複数の領域に分けて前記表示部の表示を更新することを特徴とする請求項２記載の表示システム。
【請求項４】
選択された前記領域を複数の領域に分けることができないときは該領域に割り当てられた機能が選択されたとすることを特徴とする請求項１から３のいずれか１項に記載の表示システム。
【請求項５】
前記受信装置の表示部は、前記カラーボタンの複数の色と同じ色、および、前記カラーボタンの複数の色のうち２以上の色を重ねたときにできる色の少なくとも２つ以上の色の複数の領域を表示し、
前記２以上の色のカラーボタンが同時に操作されると、前記２以上の色を重ねたときにできる色で表示された領域を選択することを特徴とする請求項１から４のいずれか１項に記載の表示システム。
【請求項６】
前記受信装置の表示部は、表示されている領域のうち選択されている領域を示すフォーカスを表示し、該フォーカスは前記リモコンの方向ボタンおよび決定ボタンの操作に応じて動作することを特徴とする請求項１から５のいずれか１項に記載の表示システム。
【請求項７】
前記受信装置の表示部に表示される複数の領域はソフトウェアキーボードであることを特徴とする請求項１から６のいずれか１項に記載の表示システム。
【請求項８】
操作部は複数のカラーボタンを備え、
前記複数のカラーボタンはそれぞれ異なる色を備え、
表示部は、複数の領域を表示し、
前記複数の領域はそれぞれ前記複数のカラーボタンのうちのいずれか一つのカラーボタンと同じ色を備え、
前記操作部の前記複数のカラーボタンのうちのいずれか一つが操作された場合、該操作されたカラーボタンと同じ色を備える領域が選択され、
選択された前記領域を複数の領域に分けることができるときは前記領域のみが表示されるように前記表示部の表示を更新することを特徴とする表示装置。
【請求項９】
複数のカラーボタンを備え、前記複数のカラーボタンはそれぞれ異なる色を備えるリモコンにより操作される受信装置であって、
複数の領域を表示し、前記複数の領域はそれぞれ前記複数のカラーボタンのうちのいずれか一つのカラーボタンと同じ色を備える表示部を有し、
前記複数のカラーボタンのうちのいずれか一つが操作された場合、該操作されたカラーボタンと同じ色を備える領域が選択され、
選択された前記領域を複数の領域に分けることができるときは前記領域のみが表示されるように前記表示部の表示を更新することを特徴とする受信装置。
【請求項１０】
表示部が、複数のカラーボタンを備えて前記複数のカラーボタンはそれぞれ異なる色を備える操作部の前記複数のカラーボタンのうちのいずれか一つのカラーボタンと同じ色をそれぞれ備える複数の領域を表示するステップと、
前記複数のカラーボタンのうちのいずれか一つが操作された場合、該操作されたカラーボタンと同じ色を備える領域が選択され、選択された前記領域を複数の領域に分けることができるときは前記領域のみが表示されるように前記表示部の表示を更新するステップとを有することを特徴とする表示領域選択方法。
【発明の詳細な説明】
【技術分野】
【０００１】
本発明は、表示機構におけるボタン操作による入力制御技術に関する。
【背景技術】
【０００２】
一般的なリモコンによる操作を受け付けることが可能なデジタルＴＶ映像の受像機本体、ＰＣ（パーソナル・コンピュータ）および家電機器等の受信装置側では、リモコン側でユーザがボタン押下げ操作を行うとリモコン側の制御部が適切なコードに変換してリモコン側の送信部が受信装置側に送信し、リモコンのコードを受信装置側の受信部が受け取り、受信装置側の制御部が適切なイベントに変換して受信装置側の表示制御部に渡し、イベントに応じて受信装置側の表示部を制御する。
【０００３】
図８に上記のリモコン側および受信装置側の構成の一例を示す。
【０００４】
また、地上デジタル放送では、従来のアナログ放送における文字放送に双方向性、オンデマンド型のマルチメディアサービスなど新規のサービスを付加したデータ放送があり、このデータ放送は、電波産業界ＡＲＩＢで規格化され、データ放送の詳細は、ＡＲＩＢ規格書（ＡＲＩＢ ＳＴＤ Ｂ・２４ デジタル放送におけるデータ放送符号化方式と伝送方式）に規定されている。
規格では、リモコンのカラーボタンが４色分定められ、データ放送画面にて操作することが規定されているが、カラーボタンの使用用途までは規定されていない。
【０００５】
リモコンのカラーボタンの使用用途の一例としては、ＳＷＫＢ（ソフトウェアキーボード）等の多数の領域が表示される場合において、文字や変換・削除、入力切り替え等の大きな領域の移動にのみ利用し、最終的には十字ボタンや決定ボタンとの組み合わせで操作する手法があった。すなわち、カラーボタンを「カナ切り替え」等のショートカットキーとして割り当て、十字ボタンで選択対象の領域を示すフォーカスを移動し、決定ボタンで選択対象の領域に割り当てられた文字やアクションを決定するのである。
【０００６】
関連技術として、リモコンのカラーボタンを領域に割り当てる技術が開示されている。その構成は、デジタル放送のユーザはリモコンのカラーボタンによる選択方法に慣れているので、特別なボタンや知識を必要とせず、マルチ画面を操作可能とすべく、マルチ画面において、各画面のふちに赤、青、緑、黄のいずれかの色をつけておき、リモコンにて操作する場合、各画面に対応したカラーボタンを押して画面選択をした後に、選択された画面のチャンネル、音量などのキーを押す（例えば、特許文献１参照）。
【先行技術文献】
【特許文献】
【０００７】
【特許文献１】特開２００４−３３６４１４号公報
【発明の概要】
【発明が解決しようとする課題】
【０００８】
しかしながら、キーの数が多いＳＷＫＢ等では多数の領域が表示され、リモコンの十字ボタンのみで選択するには、目的のキーを選択するのに何度も操作しなければならなく、また、特許文献１の技術では、より細かく絞り込んで選択する必要があるので操作の簡素化には不十分である。
【０００９】
本発明は、以上のような課題を解決するためになされたもので、表示された多数の領域から目的の領域を選択する際のボタン操作の簡素化を図ることができる表示システム、表示装置、受信装置および表示領域選択方法を提供することを目的とする。
【課題を解決するための手段】
【００１０】
本発明の表示システムは、表示部を備える受信装置と、前記受信装置を操作するリモコンと、からなる表示システムであって、
前記リモコンは複数のカラーボタンを備え、
前記複数のカラーボタンはそれぞれ異なる色を備え、
前記受信装置の表示部は、複数の領域を表示し、
前記複数の領域はそれぞれ前記複数のカラーボタンのうちのいずれか一つのカラーボタンと同じ色を備え、
前記複数のカラーボタンのうちのいずれか一つが操作された場合、該操作されたカラーボタンと同じ色を備える領域が選択され、
選択された前記領域を複数の領域に分けることができるときは前記領域のみが表示されるように前記表示部の表示を更新することを特徴とする。
【００１１】
本発明の表示装置は、操作部は複数のカラーボタンを備え、
前記複数のカラーボタンはそれぞれ異なる色を備え、
表示部は、複数の領域を表示し、
前記複数の領域はそれぞれ前記複数のカラーボタンのうちのいずれか一つのカラーボタンと同じ色を備え、
前記操作部の前記複数のカラーボタンのうちのいずれか一つが操作された場合、該操作されたカラーボタンと同じ色を備える領域が選択され、
選択された前記領域を複数の領域に分けることができるときは前記領域のみが表示されるように前記表示部の表示を更新することを特徴とする。
【００１２】
本発明の受信装置は、複数のカラーボタンを備え、前記複数のカラーボタンはそれぞれ異なる色を備えるリモコンにより操作される受信装置であって、
複数の領域を表示し、前記複数の領域はそれぞれ前記複数のカラーボタンのうちのいずれか一つのカラーボタンと同じ色を備える表示部を有し、
前記複数のカラーボタンのうちのいずれか一つが操作された場合、該操作されたカラーボタンと同じ色を備える領域が選択され、
選択された前記領域を複数の領域に分けることができるときは前記領域のみが表示されるように前記表示部の表示を更新することを特徴とする。
【００１３】
本発明の表示領域選択方法は、表示部が、複数のカラーボタンを備えて前記複数のカラーボタンはそれぞれ異なる色を備える操作部の前記複数のカラーボタンのうちのいずれか一つのカラーボタンと同じ色をそれぞれ備える複数の領域を表示するステップと、
前記複数のカラーボタンのうちのいずれか一つが操作された場合、該操作されたカラーボタンと同じ色を備える領域が選択され、選択された前記領域を複数の領域に分けることができるときは前記領域のみが表示されるように前記表示部の表示を更新するステップとを有することを特徴とする。
【発明の効果】
【００１４】
本発明によれば、表示された多数の領域から目的の領域を選択する際のボタン操作の簡素化を図ることができる。
【図面の簡単な説明】
【００１５】
【図１】本発明の実施の形態に係る表示システムの構成図である。
【図２】本発明の実施の形態に係るリモコンの操作ボタンの配置の一例を示す図である。
【図３】本発明の実施の形態に係る受信装置に表示されるＳＷＫＢの一例を示す図である。
【図４】本発明の実施の形態に係るＳＷＫＢを説明する図である。
【図５】本発明の実施の形態に係るリモコン操作による処理動作を示すフローチャートである。
【図６】本発明の実施の形態に係るリモコン操作による処理動作を示すフローチャートである。
【図７】本発明の実施の形態に係るリモコン操作による処理動作を示すフローチャートである。
【図８】従来のリモコン側および受信装置側の構成の一例を示す図である。
【発明を実施するための形態】
【００１６】
以下、本発明の実施の形態について図面を参照して詳細に説明する。
【００１７】
本実施の形態における表示システムは、図１に示すようにリモコン１と受信装置２とから構成されている。
本実施の形態における受信装置２は、スピーカ２０１、表示機構としてのディスプレイ２０２、映像記録用ハードディスク２０３、受信装置全体を制御するマイクロプロセッサ２０４、データを一時記憶するメモリ２０５、データを表示するためのグラフィックコントローラ２０６、リモコン１からの赤外線信号等を受ける受光部２０７および受光部２０７で受けた信号を復調するコマンド変換部２０８等の既知の構成を備えている情報処理装置である。
【００１８】
図２は、本実施の形態のリモコン１の操作ボタンの配置の一例を示す図である。
電源ボタン、地上データ放送ボタン、ＢＳ放送ボタン、ＣＳ放送ボタン、チャンネル（数字）ボタン、データ放送を切り替えるボタン、方向ボタン、決定ボタン、音量ボタン、戻るボタン、青（図中では縦縞模様で表示）、赤（図中では横縞模様で表示）、緑（図中では左下斜線模様で表示）、黄（図中では右下斜線模様で表示）の４色のカラーボタンを備える。なお、地上デジタル放送ではカラーボタンの４色の横並び順は規定されており本実施の形態ではその例にならったが、４色以上の色に応じたカラーボタンが増設される態様であってもよい。
【００１９】
図３は、本実施の形態の受信装置２のディスプレイ２０２に表示されるＳＷＫＢの一例を示す図である。５０音等の文字キー、変換や削除、切り替え等のキーを備えている。上欄に入力されたひらがなが変換キーで漢字に変換されている。
【００２０】
次に、図４および図５〜図７のフローチャートを参照して本実施の形態の動作を詳細に説明する。
【００２１】
図４を参照すると、受信装置２のディスプレイ２０２に表示される初期画面のＳＷＫＢには入力欄と、「１」〜「３６」の数字のキーがある。「１」〜「３６」の数字のキーは、青（図中では縦縞模様で表示）、赤（図中では横縞模様で表示）、緑（図中では左下斜線模様で表示）、黄（図中では右下斜線模様で表示）の４色の背景の領域にブロック化されている。すなわち、「１」〜「２４」の数字のキーは、青色の領域、また、「２５」〜「２９」の数字のキーは、赤色の領域、また、「２６」〜「３３」の数字のキーは、緑色の領域、また、「３４」〜「３６」の数字のキーは、黄色の領域にブロック化されている。
ここでは、リモコン１の４色のカラーボタンの配置順と対応させてＳＷＫＢのブロック化の色の配置順も左から青、赤、緑、黄としてユーザの操作の容易化を図っているが、配置順はこれに限らず任意であってよい。
なお、初期画面でフォーカスは任意の領域にあってよいが、一例として「１」の数字のキーにある。
【００２２】
リモコン１の４色のカラーボタンのカラー数と対応させた４色に限らず任意の数の色であってよく、また、ＳＷＫＢのキーに割り当てられた入力予測等の機能別に色を分けてブロック化してもよい。
【００２３】
図４の初期画面のＳＷＫＢに対するリモコン操作により、図５のフローチャートのような処理がなされる。
【００２４】
図５を参照すると、まず、ユーザのリモコン１の入力操作に応じて、リモコン１からの赤外線信号を受ける受信装置２の受光部２０７で受けた信号をコマンド変換部２０８で復調してマイクロプロセッサ２０４によりカラーボタンが押下げされた操作であるか否かを判定する（Ｓ５０１）。
【００２５】
カラーボタンが押下げされた操作である場合、マイクロプロセッサ２０４により押下操作されたカラーボタンのカラーに相当する色の領域は１キー相当であるか否かを判定する（Ｓ５０２）。１キー相当でない場合（Ｓ５０２／Ｎｏ）、フォーカスを押下操作されたカラーボタンのカラーに相当する色の一番左上の領域等に移動し（Ｓ５０３）、ＳＷＫＢの領域を押下操作されたカラーボタンのカラーに相当する色の領域のみに絞り込んだ絞込画面を色と当該色の領域とを更新して再描写する（Ｓ５０４）。
【００２６】
一方、１キー相当である場合（Ｓ５０２／Ｙｅｓ）、当該キーに割り当てられた数字をディスプレイ２０２に表示されたＳＷＫＢの入力欄に入力する（Ｓ５０５）。その後、ＳＷＫＢの領域を初期化して初期画面のＳＷＫＢの表示とする（Ｓ５０６）。以上の処理を繰り返す。
【００２７】
具体的にユーザがＳＷＫＢで「８」の数字のキーを入力する場合を図４を参照して説明する。
初期画面のＳＷＫＢでは、「１」〜「３６」の数字のキーは、リモコン１の４色のカラーボタンのカラー数と対応させた青、赤、緑、黄の４色の領域にブロック化され、「１」〜「２４」の数字のキーは、青色の領域にある。したがって「８」の数字のキーは青色の領域にあるので、まずユーザはリモコン１の４色のカラーボタンのうち青色のカラーボタンを押下げ操作し、この押下操作が上記のステップＳ５０１で判定される。
【００２８】
次に、青色の領域には、「１」〜「２４」の数字のキーがあるので、押下操作されたカラーボタンのカラーに相当する青色の領域は１キー相当でないと、上記のステップＳ５０２で判定される。
【００２９】
そして、フォーカスを押下操作されたカラーボタンのカラーに相当する青色の一番左上の領域、すなわち「１」の数字のキーに移動する。図４では初期画面から「１」〜「２４」の数字のキーのみが表示されている第一の絞込画面において「１」の数字のキーにフォーカスが移動していることである。これが上記のステップＳ５０３に相当する。
【００３０】
さらに、第一の絞込画面のＳＷＫＢでは、「１」〜「２４」の数字のキーは、赤、緑、黄の３色の領域にブロック化され、色と当該色の領域とを更新して再描写される。すなわち「１」〜「８」の数字のキーは、赤色の領域、また、「９」〜「１６」の数字のキーは、緑色の領域、また、「１７」〜「２４」の数字のキーは、黄色の領域にある。これが上記のステップＳ５０４に相当する。
なお、２回目以降のカラーボタン押下げによる領域選択では直前（ここでは１回目）に選択されたカラー（ここでは青色）以外の色と当該色の領域とを更新して再描写することで、ユーザが誤って直前（ここでは１回目）に選択されたカラーのカラーボタンを連続押下げしてしまうことを回避することができる。
また、色と当該色の領域とを更新して再描写する際に、３の倍数等で領域を分けて均等にブロック化してもよく、後述する混合色も含めて選択できる５色（隣り合う２色を優先したケース）に応じて領域を分けてブロック化してもよい。
【００３１】
第一の絞込画面のＳＷＫＢでは、「１」〜「８」の数字のキーは、赤色の領域にある。したがって「８」の数字のキーは赤色の領域にあるので、次にユーザはリモコン１の４色のカラーボタンのうち赤色のカラーボタンを押下げ操作し、この押下操作が上記のステップＳ５０１で再び判定される。
【００３２】
次に、赤色の領域には、「１」〜「８」の数字のキーがあるので、押下操作されたカラーボタンのカラーに相当する赤色の領域は１キー相当でないと、上記のステップＳ５０２で再び判定される。
【００３３】
そして、フォーカスを押下操作されたカラーボタンのカラーに相当する赤色の一番左上の領域、すなわち「１」の数字のキーに移動する。図４では第二の絞込画面において「１」の数字のキーにフォーカスが移動していることである。これが上記のステップＳ５０３に相当する。
【００３４】
さらに、第二の絞込画面のＳＷＫＢでは、「１」〜「８」の数字のキーは、青、緑の２色の領域にブロック化され、色と当該色の領域とを更新して再描写される。すなわち「１」〜「４」の数字のキーは、青色の領域、また、「５」〜「８」の数字のキーは、緑色の領域にある。これが上記のステップＳ５０４に相当する。
なお、２回目以降のカラーボタン押下げによる領域選択では直前（ここでは２回目）に選択されたカラー（ここでは赤色）以外の色と当該色の領域とを更新して再描写することで、ユーザが誤って直前（ここでは２回目）に選択されたカラーのカラーボタンを連続押下げしてしまうことを回避することができる。
【００３５】
第二の絞込画面のＳＷＫＢでは、「５」〜「８」の数字のキーは、緑色の領域にある。したがって「８」の数字のキーは緑色の領域にあるので、次にユーザはリモコン１の４色のカラーボタンのうち緑色のカラーボタンを押下げ操作し、この押下操作が上記のステップＳ５０１で再び判定される。
【００３６】
次に、緑色の領域には、「５」〜「８」の数字のキーがあるので、押下操作されたカラーボタンのカラーに相当する緑色の領域は１キー相当でないと、上記のステップＳ５０２で再び判定される。
【００３７】
そして、フォーカスを押下操作されたカラーボタンのカラーに相当する緑色の一番左上の領域、すなわち「５」の数字のキーに移動する。図４では第三の絞込画面において「５」の数字のキーにフォーカスが移動していることである。これが上記のステップＳ５０３に相当する。
【００３８】
さらに、第三の絞込画面のＳＷＫＢでは、「５」〜「８」の数字のキーは、青、紫、赤、黄の４色の領域にブロック化され、色と当該色の領域とを更新して再描写される。すなわち「５」の数字のキーは、青色の領域、また、「６」の数字のキーは、紫色の領域、また、「７」の数字のキーは、赤色の領域、また、「８」の数字のキーは、黄色の領域にある。これが上記のステップＳ５０４に相当する。
なお、２回目以降のカラーボタン押下げによる領域選択では直前（ここでは３回目）に選択されたカラー（ここでは緑色）以外の色と当該色の領域とを更新して再描写することで、ユーザが誤って直前（ここでは３回目）に選択されたカラーのカラーボタンを連続押下げしてしまうことを回避することができる。
【００３９】
選択肢が色の数を超える場合、すなわち、選択肢としての「５」〜「８」の数字のキーは４つあるのに対して、直前（ここでは３回目）に選択されたカラー（ここでは緑色）以外の色が青、赤、黄の３色しかない場合、リモコン１の４色のカラーボタンのうち２色を重ねた混合色を用いて選択可能な領域の色の数を増加することであってもよい。２色を重ねた混合色は一般常識で直感的に理解しやすい例えば、青＋赤＝紫（図中では縦横縞模様で表示）、緑＋黄＝黄緑緑（図中では右下・左下斜線模様で表示）、青＋緑＝青緑（図中では縦縞・左下斜線模様で表示）等とすることで得られる。上記の第三の絞込画面のＳＷＫＢでは、青＋赤＝紫が用いられている。なお、混合色はリモコン１の４色のカラーボタンのうち該当する２色のカラーボタンを同時に押下操作することで入力可能であってよい。ボタン１つ以上離れた２つのボタンは同時に押下げしにくいおそれがあるので隣り合う２色を優先することであってもよい。
図４の「２５」〜「２９」の数字のキーや「３０」〜「３３」の数字のキーについて想定した第一の絞込画面のＳＷＫＢにも混合色が用いられている。例えば、「２８」の数字のキーを入力したいときは、リモコン１の４色のカラーボタンのうち緑色および黄色の２色のカラーボタンを同時に押下操作する。
【００４０】
第三の絞込画面のＳＷＫＢでは、「８」の数字のキーは、黄色の領域にあるので、次にユーザはリモコン１の４色のカラーボタンのうち黄色のカラーボタンを押下げ操作し、この押下操作が上記のステップＳ５０１で再び判定される。
【００４１】
次に、黄色の領域には、「８」の数字のキーのみがあるので、押下操作されたカラーボタンのカラーに相当する黄色の領域は１キー相当であると、上記のステップＳ５０２で判定される。
【００４２】
そこで、当該キーに割り当てられた数字「８」をディスプレイ２０２に表示されたＳＷＫＢの入力欄に入力する。従って、最後に押下操作された黄色のカラーボタンは決定ボタン類似の機能を果たすこととなる。これが上記のステップＳ５０５に相当する。
【００４３】
その後、ＳＷＫＢの領域を初期化して初期画面のＳＷＫＢの表示とする。これが上記のステップＳ５０６に相当する。
【００４４】
上記の操作結果により、ユーザがＳＷＫＢで「８」の数字のキーを入力する場合、順に、青、赤、緑、黄のリモコン１のカラーボタンを押下操作することが必要であるので、合計４回のボタン押下操作となる。これに対して、従来の「１」の数字のキーのフォーカスを右方向キーを３回押下操作し、「２」の数字のキー、「３」の数字のキー、「４」の数字のキーに移動した後に、下方向キーを１回押下操作し、「８」の数字のキーに移動し、さらに決定ボタンの押下操作により「８」の数字のキーを入力するのでは合計５回のボタン押下操作が必要であるので、１回分ボタン押下操作が削減され簡素化されている。なお、初期画面のフォーカスが「１」の数字のキーでなければさらに押下操作が削減され簡素化される効果が生じる場合もある。
【００４５】
なお、絞込画面で最初にフォーカスされる領域に入力したい数字のキーが存在した場合等は、決定ボタン等の押下操作で入力可能としてもよい。
【００４６】
また、上記の図４の第三の絞込画面のＳＷＫＢで「６」の数字のキーを入力したい場合等には、２色のカラーボタンを同時に押下操作するのでなく、最初にフォーカスされる「５」の数字のキーからフォーカスを右方向ボタンの押下操作で「６」の数字のキーに移動させて決定ボタン等の押下操作で入力可能としてもよい。なお、方向ボタンの押下操作に移ったタイミングでＳＷＫＢのカラーの領域を初期化して初期画面のＳＷＫＢの表示とすることであってもよい。方向ボタンを使用した時点ですでに目的のキーの近くまで絞り込めている状態でありこの段階で絞り込み表示は不要と考えられる場合があり、また、途中で絞り込みを一発操作で初期化するニーズにも応えられるからである。
【００４７】
図４のＳＷＫＢに対するリモコン操作により、図６のフローチャートのような処理がなされる。
図６を参照すると、まず、ユーザのリモコン１の入力操作に応じて、リモコン１からの赤外線信号を受ける受信装置２の受光部２０７で受けた信号をコマンド変換部２０８で復調してマイクロプロセッサ２０４により戻るボタンが押下げされた操作であるか否かを判定する（Ｓ６０１）。
【００４８】
戻るボタンが押下げされた操作である場合、マイクロプロセッサ２０４によりメモリ２０５に記憶されていた１段階前の絞込画面の色と当該色の領域とに更新して再描写する（Ｓ６０２）。これによりユーザの便宜が図られる。
【００４９】
また、図４のＳＷＫＢに対するリモコン操作により、図７のフローチャートのような処理がなされる。
図７を参照すると、まず、ユーザのリモコン１の入力操作に応じて、リモコン１からの赤外線信号を受ける受信装置２の受光部２０７で受けた信号をコマンド変換部２０８で復調してマイクロプロセッサ２０４により方向ボタンが押下げされた操作であるか否かを判定する（Ｓ７０１）。
【００５０】
方向ボタンが押下げされた操作である場合、フォーカスを押下操作された方向ボタンの方向へ１領域分移動し（Ｓ７０２）、ＳＷＫＢの領域を初期化して初期画面のＳＷＫＢの表示とする（Ｓ７０３）。ユーザはもう領域による絞込みは不要であるので方向ボタンを操作したと考えられるので初期画面に戻すのである。
【００５１】
上記の本実施の形態によれば、ＳＷＫＢに対し、カラーボタンと同じ色の背景の領域割り当て、背景と同じ色のカラーボタンを押下することで、フォーカスの移動と領域の絞込みを行い、カラーボタンのみを使って目的のキーを簡単に選択できる。従来どおりの方向ボタンによる操作もできるようにし、ユーザがカラーボタンとの組合せで好みの手順で絞込みができる。また、一度押下したカラーボタンを連続で押下できない（しても意味がない）ような絞込み手順とすることで、連続的なボタン押下による誤操作を防止することができる。さらに、カラーの特徴を活かし、色を重ねることにより選択肢を増やし、カラーボタンとの配置と整合させることで、視覚的にも直感的な操作ができる。
【００５２】
また、本発明の他の実施の形態として、複数のカラーボタンの代わりに図２に示す「１」〜「１２」の数字ボタンを用いて上記と同様の絞込み操作を行ってもよく、また、複数のカラーボタンと数字ボタンとの組合せにより上記と同様の絞込み操作を行ってもよい。
【００５３】
また、本発明の他の実施の形態として、上記の実施の形態における表示システムのリモコン１および受信装置２の機能を併せ持つ情報処理装置がある。リモコン１側に機能を集約した場合には表示部付き携帯端末のような装置であってよく、また、受信装置２側に機能を集約した場合にはＴＶ受信機等の表示枠や台座に設けられたボタンを押下げするような装置であってよい。
【００５４】
なお、上述する各実施の形態は、本発明の好適な実施の形態であり、本発明の要旨を逸脱しない範囲内において種々変更実施が可能である。
【符号の説明】
【００５５】
１    リモコン
２    受信装置
２０１    スピーカ
２０２    ディスプレイ
２０３    映像記録用ハードディスク
２０４    マイクロプロセッサ
２０５    メモリ
２０６    グラフィックコントローラ
２０７    受光部
２０８    コマンド変換部
【図１】
0005424489.tif 000002
【図２】
0005424489.tif 000003
【図３】
0005424489.tif 000004
【図４】
0005424489.tif 000005
【図５】
0005424489.tif 000006
【図６】
0005424489.tif 000007
【図７】
0005424489.tif 000008
【図８】
0005424489.tif 000009